(57)【要約】  ディスク装置１００では、大径ディスクがターンテーブル２３にクランプされた時に、大径ディスクの挿排を案内するガイドレバー４１１を左壁１０Ｂ側に移動させて、大径ディスクの周縁およびガイドレバー４１１の間に所定にクリアランスを形成するプッシュアーム４１６を備えている。これにより、大径ディスクがターンテーブル２３に載置された際に大径ディスクの回転が阻害されることない。
2007043375.tif 000002
【特許請求の範囲】
【請求項１】
装置本体内部に配置されるディスク保持部がディスク状の記録媒体を保持可能な位置に、前記記録媒体を案内するとともに、前記記録媒体の接離方向に移動可能なガイド部材と、
前記記録媒体が前記ディスク保持部に保持された状態で、前記ガイド部材を前記記録媒体から離れる方向に移動させるガイド移動制御部材と、
を具備したことを特徴とした搬送装置。
【請求項２】
請求項１に記載の搬送装置であって、
前記ガイド移動制御部材は、前記記録媒体が前記ディスク保持部に保持されない状態において、前記ガイド部材を前記記録媒体に近接する方向に付勢する
ことを特徴とした搬送装置。
【請求項３】
請求項１または請求項２に記載の搬送装置であって、
前記ガイド移動制御部材は、前記ガイド部材に係合可能なガイド係合部材と、前記ガイド係合部材に前記ガイド部材が係合されるとともに前記記録媒体が前記ディスク保持部に保持された状態において、前記ガイド係合部材の移動を規制する移動規制部材を備えた
ことを特徴とした搬送装置。
【請求項４】
請求項３に記載の搬送装置であって、
前記ガイド係合部材は、一端部が前記装置本体に回動可能に設けられるとともに、他端部に前記記録媒体に近接する方向に付勢する付勢部材が設けられた
ことを特徴とした搬送装置。
【請求項５】
請求項３または請求項４に記載の搬送装置であって、
前記ガイド部材は前記記録媒体の搬送方向に略平行な長手状に形成されるとともに、前記ガイド係合部材に係合可能な係合部を有するガイドレバーと、一端部が前記装置本体に回動可能に設けられるとともに、他端部が前記ガイドレバーの一端部に回動可能に接続されるディスクガイドと、を備え、
前記ガイド係合部材は、前記ガイドレバーの移動により前記係合部が係合可能な係合溝を備えた
ことを特徴とした搬送装置。
【請求項６】
請求項５に記載の搬送装置であって、
前記係合部は、前記ガイドレバーおよび前記ディスクガイドの接続部側に設けられた
ことを特徴とした搬送装置。
【請求項７】
請求項５に記載の搬送装置であって、
前記係合部は、前記記録媒体が前記ディスク保持部に保持された状態において、前記ディスク保持部が設けられる台座部に干渉しない位置に設けられる
ことを特徴とした搬送装置。
【請求項８】
請求項１ないし請求項７のいずれかに記載の搬送装置と、
前記搬送装置により搬送された前記記録媒体を保持する前記ディスク保持部と、
前記ディスク保持部が設けられるとともに、上下方向に移動可能な台座部と、
前記ディスク保持部に保持された前記記録媒体への情報の書き込みおよび前記記録媒体からの情報の読み込みの少なくとも一方を実施する情報処理部と、
これらの搬送装置、ディスク保持部、台座部、および情報処理部を内部に収納し、前記記録媒体を挿排する挿排口が設けられる前記装置本体と、
を具備したことを特徴とした記録媒体駆動装置。
【発明の詳細な説明】
【技術分野】
【０００１】
本発明は、ディスク状記録媒体を挿入排出する搬送装置、および搬送装置が設けられた記録媒体駆動装置に関する。
【背景技術】
【０００２】
従来、径の異なるディスク状記録媒体を装置内部に格納可能なディスク装置が知られている。（例えば、特許文献１参照）。【０００３】
この特許文献１に記載のものは、移送ローラによりディスクを搬送し、位置決め機構によりディスクをターンテーブル上方に位置決めするディスク再生装置である。この位置決め機構は、支点ピンで回動可能に枢支されて互いに交差する左右の位置決めレバーと、これらの位置決めレバーに設けられる係合孔に係合する支点ピンを有して、ソレノイドにより回動する切換レバーとにより構成されている。また、このディスク再生装置のディスク挿入口の近傍には、中央センサ、および中央センサの左右に設けられる左右センサ、外側センサが設けられ、これらのセンサによりディスク挿入口から挿入されたディスクの径を判別する。そして、センサにより大径のディスクの挿入が確認されると、切換レバーを回転させて位置決めピンがもっとも開いた位置となるように左右の位置決めレバーを回動させ、小径のディスクの挿入が確認されると、位置決めピンが最も近寄った位置となるように左右の位置決めレバーを回動させる構成が採られている。【０００４】
【特許文献１】特開平０２−１１８９５５号公報（第３頁ないし第５頁、図１ないし図７参照）
【発明の開示】
【発明が解決しようとする課題】
【０００５】
ところで、特許文献１に記載のような従来の構成のディスク再生装置では、左右のレバーでディスクを保持した後、このディスクをターンテーブルにクランプさせる。この際、これら左右のレバーでディスクをガイドしたままの状態では、クリアランスが不十分であるために、ディスクの回転が阻害されてしまうという問題が一例として挙げられる。【０００６】
本発明は、ディスクの回転を阻害せず良好に保持可能な搬送装置、および記録媒体駆動装置を提供することを１つの目的とする。
【課題を解決するための手段】
【０００７】
本発明の搬送装置は、装置本体内部に配置されるディスク保持部がディスク状の記録媒体を保持可能な位置に、前記記録媒体を案内するとともに、前記記録媒体の接離方向に移動可能なガイド部材と、前記記録媒体が前記ディスク保持部に保持された状態で、前記ガイド部材を前記記録媒体から離れる方向に移動させるガイド移動制御部材と、を具備したことを特徴とする。【０００８】
本発明の記録媒体駆動装置は、前述した本発明の搬送装置と、前記搬送装置により搬送された前記記録媒体を保持する前記ディスク保持部と、前記ディスク保持部が設けられるとともに、上下方向に移動可能な台座部と、前記ディスク保持部に保持された前記記録媒体への情報の書き込みおよび前記記録媒体からの情報の読み込みの少なくとも一方を実施する情報処理部と、これらの搬送装置、ディスク保持部、台座部、および情報処理部を内部に収納し、前記記録媒体を挿排する挿排口が設けられる前記装置本体と、を具備したことを特徴とする。
【図面の簡単な説明】
【０００９】
【図１】本発明の一実施形態に係るディスク装置の装置本体内部を示す平面図である。
【図２Ａ】ディスク装置内部に設けられるプッシュアームの拡大平面図であり、ガイドレバーおよびプッシュアームが係合していない状態のプッシュアームの拡大平面図である。
【図２Ｂ】ディスク装置内部に設けられるプッシュアームの拡大平面図であり、ガイドレバーおよびプッシュアームが係合した状態のプッシュアームの拡大平面図である。
【図２Ｃ】ディスク装置内部に設けられるプッシュアームの拡大平面図であり、図２Ｂの状態においてプッシュアームが左壁側に移動した状態におけるプッシュアームの拡大平面図である。
【図３】大径ディスクのディスク挿入初期時、およびディスク排出完了時におけるディスク装置の装置本体の内部を示す平面図である。
【図４】大径ディスクの搬送途中におけるディスク装置の装置本体の内部を示す平面図である。
【図５】大径ディスクのディスク挿入完了時におけるディスク装置の装置本体の内部を示す平面図である。
【図６】大径ディスクがターンテーブルにクランプされた状態におけるディスク装置の装置本体の内部を示す平面図である。
【符号の説明】
【００１０】
１…記録媒体としての光ディスク
１Ａ…記録媒体としての大径ディスク
１０…装置本体
１１…挿排口としてのスロット
２１…台座部
２３…ディスク保持部としてのターンテーブル
２４…情報処理部
４１…搬送装置としてのディスクガイド機構
１００…記録媒体駆動装置としてのディスク装置
４１１…ガイド部材を構成するガイドレバー
４１１Ｃ…係合部としての回動規制ピン
４１２…ガイド部材を構成するディスクガイド
４１６…ガイド移動制御部材を構成するガイド係合部材としてのプッシュアーム
４１６Ａ…係合溝としてのピン係止溝
４１６Ｃ…付勢部材としてのプッシュアーム付勢ばね
４２４…ガイド移動制御部材を構成する移動制御部材としてのスライドストッパ
【発明を実施するための最良の形態】
【００１１】
以下、本発明の一実施形態を図面に基づいて説明する。図１は、本発明の一実施形態に係るディスク装置の内部の概略を示す平面図である。図２Ａは、ディスク装置内部に設けられるプッシュアームの拡大平面図であり、ガイドレバーおよびプッシュアームが係合していない状態のプッシュアームの拡大平面図、図２Ｂは、ディスク装置内部に設けられるプッシュアームの拡大平面図であり、ガイドレバーおよびプッシュアームが係合した状態のプッシュアームの拡大平面図、図２Ｃは、ディスク装置内部に設けられるプッシュアームの拡大平面図であり、図２Ｂの状態においてプッシュアームが左壁側に移動した状態におけるプッシュアームの拡大平面図である。【００１２】
［ディスク装置の構成］
図１において、１００は、本発明の一実施形態に係る記録媒体駆動装置としてのディスク装置であり、このディスク装置１００は、着脱可能に装着されるディスク状の記録媒体としての光ディスク１における少なくとも一面に設けられた図示しない記録面に記録された情報を読み出す情報処理である読取処理や記録面へ各種情報を記録する情報処理である記録処理をする。このディスク装置１００は、例えば携帯型のパーソナルコンピュータなどの電気機器に装着されるいわゆる薄型のスロットインタイプで例示するが、例えばゲーム機や映像データの録画などの記録や再生のための処理をする再生装置などの単体の構成としてもよい。また、このディスク装置１００は、光ディスク１として、直径１２ｃｍの大径ディスク１Ａと、直径８ｃｍの小径ディスク１Ｂとを収納することができる。なお、ディスク状記録媒体としては、光ディスク１に限らず、磁気ディスク、光磁気ディスクなどのいずれのディスク状記録媒体を対象とすることができる。そして、ディスク装置１００は、例えば金属製で内部空間を有する略箱形状の装置本体１０を備えて構成されている。なお、この装置本体１０において、図１中下側を装置本体の正面１０Ａ、図１中の装置本体１０の左側壁を左壁１０Ｂ、図１中の装置本体１０の右側壁を右壁１０Ｃ、装置本体１０の正面１０Ａの反対側を背面１０Ｄと適宜称する。【００１３】
装置本体１０の内部には、いわゆるトラバースメカ（Traverse Mechanism）と称されるディスク処理部２０と、光ディスク１を搬送する搬送手段３０と、回路基板としての図示しない制御回路部とが設けられている。そして、装置本体１０の正面１０Ａには、光ディスク１を挿入排出するための挿排口としてのスロット１１が図１中左右方向に延びて形成されている。【００１４】
ディスク処理部２０は、例えば金属板にて略板状に形成され一端が揺動自在に装置本体１０に支持された台座部２１を有している。この台座部２１は、装置本体１０の左壁１０Ｂの正面１０Ａ側から、中心位置に向かって長手に形成されている。また、台座部２１には、長手方向に沿って、長手状の処理開口部２１Ａが略中央に切欠形成されている。そして、台座部２１の処理開口部２１Ａの一端側、すなわち装置本体１０の略中心位置に、ディスク回転駆動手段２２が配設されている。このディスク回転駆動手段２２は、図示しないスピンドルモータと、このスピンドルモータの出力軸に一体的に設けられたディスク保持部としてのターンテーブル２３とを備えている。スピンドルモータは、制御回路部に制御可能に接続され、制御回路部から供給される電力により駆動する。ターンテーブル２３は、装置本体１０の内部の略中心部に設けられるとともに光ディスク１を回転駆動する駆動部である。【００１５】
また、台座部２１には、情報処理部２４が配設されている。この情報処理部２４は、一対のガイドシャフト２５間に架橋する状態に支持されており、図示しない移動機構により処理開口部２１Ａ内でターンテーブル２３に対して近接離隔される。この情報処理部２４は、図示しない光源と、この光源からの光を収束するピックアップレンズ２４Ａと、光ディスク１で反射された出射光を検出する図示しない光センサとを有するピックアップを備えている。【００１６】
搬送手段３０は、装置本体１０に配設された、例えば制御回路部に動作制御される搬送モータ３１と、この搬送モータの駆動により連動するリンク機構部３２とを備えている。【００１７】
リンク機構部３２は、装置本体１０の内部であってスロット１１の左壁１０Ｂ側に設けられたディスクガイド機構４１と、装置本体１０の内部であってスロット１１の右壁１０Ｃ側に設けられたディスク径検知機構４２と、ターンテーブル２３に配置された光ディスク１を排出するディスク排出機構４３と、台座部２１を揺動させる第１の駆動カム４４及び第２の駆動カム４５とを備えている。【００１８】
ディスクガイド機構４１は、光ディスク１の挿排を案内するガイド部材としてのガイドレバー４１１と、このガイドレバー４１１の正面１０Ａ側に接続されるディスクガイド４１２と、保護プレートとしてのブリッジプレート４１３と、ブリッジプレート４１３に回動自在に設けられる８ｃｍアーム４１４と、ガイド係合部材としてのプッシュアーム４１６と、を備えている。なお、本発明のガイド部材は、ガイドレバー４１１、およびディスクガイド４１２にて構成され、本発明のガイド移動制御部材は、プッシュアーム４１６および後述する移動制御部材としてのスライドストッパ４２４にて構成されている。そして、これらのガイドレバー４１１、ディスクガイド４１２、プッシュアーム４１６、およびスライドストッパ４２４により本発明の搬送装置が構成されている。【００１９】
ガイドレバー４１１は、ディスク挿排方向に長手状に形成される棒状部材である。このガイドレバー４１１の側面には、内方側（光ディスク１が挿入される側）に、光ディスク１の挿排方向への移動を案内する合成樹脂製の案内部４１１Ａが固定されている。この案内部４１１Ａは、左壁１０Ｂ側に向かって凹状となる案内溝が形成されており、光ディスク１の周縁をこの案内溝に摺接させて案内する。また、このガイドレバー４１１の側面は、案内部４１１Ａに続く背面１０Ｄ側が、内方に向かって湾曲した形状に形成されており、光ディスク１の移動を規制している。さらに、案内部４１１Ａには、底部側に突出する係合部としての回動規制ピン４１１Ｃが形成されている。この回動規制ピン４１１Ｃは、ガイドレバー４１１のディスクガイド４１２側、すなわち正面１０Ａ側で、かつガイドレバー４１１が小径ディスク１Ｂに対応した位置に移動した際に、台座部２１と干渉しない位置に設けられている。【００２０】
そして、ガイドレバー４１１の背面１０Ｄ側の端部には、天面側から底面側に貫通するガイドピン４１１Ｂが固定されている。このガイドピン４１１Ｂは、後述するブリッジプレート４１３および８ｃｍアーム４１４に係止されている。また、ガイドレバー４１１の正面１０Ａ側端部は、ディスクガイド４１２が回動自在に接続されている。【００２１】
さらに、ガイドレバー４１１の正面１０Ａ側の端部には、左壁１０Ｂに対向して板ばね４１１Ｄが設けられている。この板ばね４１１Ｄは、ガイドレバー４１１が左壁１０Ｂ側に移動した際に、このガイドレバー４１１とディスクガイド４１２との接続部を内方側に付勢する。これにより、ガイドレバー４１１およびディスクガイド４１２の接続部が外方側に屈折することを防止している。【００２２】
ディスクガイド４１２は、長手状に形成され、一端部が装置本体１０の左壁１０Ｂ近傍に回動可能に取り付けられている。また、ディスクガイド４１２の他端部は前記したように、ガイドレバー４１１の一端部に回動可能に接続されている。これにより、ガイドレバー４１１の正面１０Ａ側端部は、ディスクガイド４１２の一端部を回動中心とし、ディスクガイド４１２の長さ寸法を径とした円弧上を回動運動可能となる。また、ディスクガイド４１２の底面側には、内方に突出するフランジ部４１２Ａが形成されており、このフランジ部４１２Ａに沿って、光ディスク１が挿入される際に光ディスク１の周縁部が摺接される摺接面４１２Ｂが形成されている。さらに、ディスクガイド４１２およびガイドレバー４１１の接続部は、光ディスク１を排出する際に、光ディスク１の周縁を正面１０Ａ側に押出す押出部４１２Ｃとなっている。【００２３】
ブリッジプレート４１３は、装置本体１０の背面１０Ｄ側に左右方向に亘って設けられる板状部材である。このブリッジプレート４１３は、前述した制御回路部の上方に覆うように設けられ、この制御回路部を保護している。そして、ブリッジプレート４１３の左壁１０Ｂ側には、装置本体１０の背面１０Ｄ側角部から内部中心位置に向かって案内ガイド部としての案内ガイド溝４１５が形成されている。【００２４】
この案内ガイド溝４１５は、前記ガイドレバー４１１およびディスクガイド４１２の接続部の回動軌跡と略平行する形状に形成される第一案内部としての円弧溝４１５Ａと、この円弧溝４１５Ａに連続して光ディスク１の挿排方向に略沿って伸びる第二案内部としての直線溝４１５Ｂと、この直線溝４１５Ｂに連続して形成されるとともに、直線溝４１５Ｂに対して所定の角度だけ装置本体１０の中心位置方向に傾斜する第二案内部としての傾斜溝４１５Ｃとを備えている。そして、この案内ガイド溝４１５には、ガイドレバー４１１の底面側に突出するガイドピン４１１Ｂが係止され、ガイドレバー４１１の移動を案内している。ここで、この直線溝４１５Ｂは、ターンテーブル２３から直線溝４１５Ｂの延長線上に下ろした垂線の長さが小径ディスク１Ｂの半径と略同一寸法となるように設定されている。【００２５】
また、ブリッジプレート４１３の右壁１０Ｃ側には、８ｃｍアーム４１４が回動可能に軸支されている。さらに、ブリッジプレート４１３の中心部および右壁１０Ｃ側には、８ｃｍアーム４１４の軸支位置を中心とした円弧状のアーム規制溝４１３Ａが形成され、８ｃｍアーム４１４の回動範囲を規制している。【００２６】
そして、ブリッジプレート４１３の右壁１０Ｃ側には、後述するディスク排出機構４３のアシストアーム４３１が回動可能に軸支され、このアシストアーム４３１の回動中心とした円弧状のアシスト規制溝４１３Ｂが形成されている。また、ブリッジプレート４１３の略中心には、アシストアーム４３１に噛合するイジェクトアーム４３２が回動可能に軸支されている。さらに、ブリッジプレート４１３の正面１０Ａ側には、左右方向に長手となる制御溝４１３Ｃが形成されている。【００２７】
８ｃｍアーム４１４は、前述したように、ブリッジプレート４１３の右壁１０Ｃ側に回動可能に軸支されている。また、８ｃｍアーム４１４は、底部側に突出するアーム規制ピン４１４Ａを備えており、このアーム規制ピン４１４Ａがブリッジプレート４１３のアーム規制溝４１３Ａに係止されている。さらに、８ｃｍアーム４１４の先端部には、この８ｃｍアーム４１４の長手に沿って形成されるガイドリンク溝４１４Ｂが形成されている。このガイドリンク溝４１４Ｂには、ガイドレバー４１１の天面側に突出するガイドピン４１１Ｂが係止されている。そして、８ｃｍアーム４１４の軸支位置近傍には、８ｃｍアーム４１４の左壁１０Ｂ側先端部を正面１０Ａ側に付勢するアーム付勢ばね４１４Ｃが設けられている。このアーム付勢ばね４１４Ｃにより８ｃｍアーム４１４は常に反時計周り方向に付勢されている。そして、この８ｃｍアーム４１４によりガイドレバー４１１は、ガイドピン４１１Ｂが案内ガイド溝４１５の傾斜溝４１５Ｃの先端部に位置する初期状態に戻るように付勢されている。【００２８】
プッシュアーム４１６は、ブリッジプレート４１３の左壁１０Ｂ側に回動可能に設けられている。このプッシュアーム４１６は、図２Ａに示すように、長手状に形成され長手一端部から軸支位置に向かって係合溝としてのピン係止溝４１６Ａが形成されている。このピン係止溝４１６Ａには、ガイドレバー４１１のガイドピン４１１Ｂが案内ガイド溝４１５の円弧溝４１５Ａを移動する際に、図２Ｂに示すように、案内部４１１Ａに形成された回動規制ピン４１１Ｃが挿通される。そして、ガイドレバー４１１がさらに左壁１０Ｂ側に移動して、回動規制ピン４１１Ｃによりピン係止溝４１６Ａが押されると、プッシュアーム４１６が左壁１０Ｂ側に回動する。また、プッシュアーム４１６の右壁１０Ｃ側には、下方側に突出する押え片４１６Ｂが形成されている。この押え片４１６Ｂは、光ディスク１がターンテーブル２３にクランプ、すなわち保持された状態において、後述するスライドストッパ４２４のプッシュストッパ４２４Ｄが当接され、図２Ｃに示すように、さらに左壁１０Ｂ側に回動される。これにより、ガイドレバー４１１が光ディスク１の周縁から離れる方向に移動され、ガイドレバー４１１の案内部４１１Ａおよび光ディスク１の間に所定のクリアランスが形成される。【００２９】
また、プッシュアーム４１６の先端部には、ブリッジプレート４１３との間に付勢手段としてのプッシュアーム付勢ばね４１６Ｃが設けられている。このプッシュアーム付勢ばね４１６Ｃは、プッシュアーム４１６を内方側、すなわち回動規制ピン４１１Ｃがピン係止溝４１６Ａに係合された状態のガイドレバー４１１を光ディスク１側に付勢しており、スライドストッパ４２４が押え片４１６Ｂから離れると、プッシュアーム４１６を内方側に回動させる。この時、前述したように、回動規制ピン４１１Ｃがガイドレバー４１１の正面１０Ａ側に設けられているため、プッシュアーム付勢ばね４１６Ｃによりガイドレバー４１１の正面１０Ａ側が内方側に付勢される。これにより、ガイドレバー４１１の移動時において、ガイドレバー４１１およびディスクガイド４１２の接続部が左壁１０Ｂ側に突出することがなく、正常にガイドレバー４１１を移動させることが可能となる。【００３０】
ディスク径検知機構４２は、スロット１１に挿入された光ディスク１が大径ディスク１Ａである場合はディスクガイド機構４１のガイドレバー４１１の移動規制を解除し、光ディスク１が小径ディスク１Ｂである場合にはガイドレバー４１１の移動を規制するものである。【００３１】
具体的には、ディスク径検知機構４２は、一端部が光ディスク１と当接するとともに他端部側が装置本体１０に回動自在とされた検出手段としてのロードアーム４２１と、このロードアーム４２１に連結されロードアーム４２１の回動角度が大きい場合にガイドレバー４１１の移動規制を解除しロードアーム４２１の回動角度が小さい場合にはガイドレバー４１１の移動を規制するアームリンク機構４２２とを備えている。【００３２】
ロードアーム４２１は、一端部に光ディスク１の周縁部に当接するローラ状の当接部４２１Ａが設けられ他端部が装置本体１０に回動自在に支持されている。このロードアーム４２１は、細長い矩形状の板部材で形成されており、その長手方向に沿ってガイド溝４２１Ｂが形成されている。また、ロードアーム４２１は、図示しない付勢手段により、図１に示すような初期位置に戻るように、時計回り方向に付勢されている。【００３３】
アームリンク機構４２２は、ガイド溝４２１Ｂに案内される突起４２３Ａが一端部に設けられた略平板状のリンクアーム４２３と、このリンクアーム４２３と一端部が連結された略平板状の規制手段としてのスライドストッパ４２４とを備えている。【００３４】
ロードアーム４２１及びリンクアーム４２３は、装置本体１０内の右壁１０Ｃ側にあり、かつ、ディスクガイド機構４１のガイドレバー４１１およびディスクガイド４１２が配置された平面と略同じ平面内に配置されている。【００３５】
リンクアーム４２３は、他端側において、装置本体１０に固定された回動軸４２３Ｂに対して回動自在に支持されており、回動軸４２３Ｂを挟んで突起４２３Ａと対向する位置に係合突起４２３Ｃがリンクアーム４２３に形成されている。また、リンクアーム４２３の係合突起４２３Ｃが設けられる端部には、図示しない付勢部材が設けられ、右壁１０Ｃ側に付勢している。これにより、ロードアーム４２１は、内方側、すなわち時計回りに付勢されている。【００３６】
スライドストッパ４２４は、ターンテーブル２３より背面１０Ｄ側において、ブリッジプレート４１３の底面部側に、図中左右方向に移動可能に配置されており、その右端部に係合突起４２３Ｃに当接するとともに、光ディスク１の挿排方向に対して傾斜する傾斜当接部４２４Ａが形成されている。そして、光ディスク１として大径ディスク１Ａが挿入され、ロードアーム４２１が回動すると、リンクアーム４２３も回動されて係合突起４２３Ｃが正面１０Ａ側に移動し、この係合突起４２３Ｃに当接する傾斜当接部４２４Ａが押されるため、スライドストッパ４２４が右壁１０Ｃ側にスライド移動する。また、スライドストッパ４２４には、ブリッジプレート４１３のアーム規制溝４１３Ａの一部を閉塞可能な規制ストッパ４２４Ｂが設けられている。この規制ストッパ４２４Ｂは、上記の如くロードアーム４２１が回動してスライドストッパ４２４が右壁１０Ｃ側に移動すると、アーム規制溝４１３Ａを開放して８ｃｍアーム４１４のアーム規制ピン４１４Ａが移動可能な状態となる。一方、ロードアーム４２１が初期位置に戻り、スライドストッパ４２４が初期位置に戻ると、アーム規制溝４１３Ａを閉塞してアーム規制ピン４１４Ａが移動できない状態となる。これにより、８ｃｍアーム４１４に連結されたガイドレバー４１１の回動も規制される。これにより、ガイドレバー４１１も左壁１０Ｂ側に移動可能となる。【００３７】
また、スライドストッパ４２４の正面１０Ａ側には、第２の駆動カム４５と連結可能なカム連動溝４２４Ｃが形成されている。これにより、第２の駆動カム４５が移動すると、スライドストッパ４２４も左右方向に移動する。そして、スライドストッパ４２４の左壁１０Ｂ側には、プッシュストッパ４２４Ｄが設けられている。このプッシュストッパ４２４Ｄは、第２の駆動カム４５の移動によりスライドストッパ４２４が左壁１０Ｂ側に移動すると、プッシュアーム４１６の押え片４１６Ｂに当接され、プッシュアーム４１６の回動を規制する。【００３８】
さらに、スライドストッパ４２４の略中心位置には、イジェクト規制窓４２４Ｅが開口形成されている。このイジェクト規制窓４２４Ｅは、左右方向に伸びる大径ディスク用イジェクト規制溝４２４Ｅ１と、小径ディスク用イジェクト規制溝４２４Ｅ２とを備えている。これらの大径ディスク用イジェクト規制溝４２４Ｅ１、および小径ディスク用イジェクト規制溝４２４Ｅ２には、第２の駆動カム４５の移動によりスライドストッパ４２４が左壁１０Ｂ側に移動すると、後述するアシストアーム４３１のイジェクト規制ピン４３１Ａが係合され、アシストアーム４３１の回動を規制する。また、これらの大径ディスク用イジェクト規制溝４２４Ｅ１、および小径ディスク用イジェクト規制溝４２４Ｅ２は端部がターンテーブル２３から離れる方向に傾斜して形成されており、イジェクト規制ピン４３１Ａがこの傾斜部に係合されることで、イジェクトアーム４３２と光ディスク１との間にクリアランスを確保することが可能となる。【００３９】
ディスク排出機構４３は、光ディスク１をスロット１１に押出して排出する機構である。このディスク排出機構４３は、アシストアーム４３１と、イジェクトアーム４３２とを備えている。【００４０】
アシストアーム４３１は、前述したように、ブリッジプレート４１３右壁１０Ｃ側に回動自在に設けられ、アシスト規制溝４１３Ｂに係合するイジェクト規制ピン４３１Ａを備えている。これにより、アシストアーム４３１は、アシスト規制溝４１３Ｂ内で回動範囲が規制されている。また、このイジェクト規制ピン４３１Ａは前記したように、イジェクト規制窓４２４Ｅに挿通されており、スライドストッパ４２４が移動して、大径ディスク用イジェクト規制溝４２４Ｅ１、または小径ディスク用イジェクト規制溝４２４Ｅ２に係合されることで、アシストアーム４３１の回動が規制される。さらに、アシストアーム４３１の左壁１０Ｂ側の一端部には、歯車４３１Ｂが形成されている。このアシストアーム４３１は図示しない付勢部材により反時計周り方向、すなわち歯車４３１Ｂが正面１０Ａ側に向かう方向に付勢されている。【００４１】
イジェクトアーム４３２は、前述したようにブリッジプレート４１３に回動可能に設けられ、ブリッジプレート４１３を挟んで底面側に位置する歯車部４３２Ａと、ブリッジプレート４１３の天面側に位置する長手状のアーム部４３２Ｂと、を備えている。歯車部４３２Ａは、アシストアーム４３１の歯車４３１Ｂに噛合しており、アシストアーム４３１の付勢力により、時計回り方向に付勢されている。この付勢力によりアーム部４３２Ｂが時計回り方向、すなわち光ディスク１をスロット１１に押し出す方向に付勢されている。また、アーム部４３２Ｂの先端部には、光ディスク１の周縁と当接するローラ状の当接部４３２Ｃが設けられている。さらに、イジェクトアーム４３２の回動中心に対してアーム部４３２Ｂとは反対側には、アーム制御突起４３２Ｄが形成されている。このアーム制御突起４３２Ｄは、イジェクトアーム４３２が回動すると、８ｃｍアーム４１４の側縁に当接する。【００４２】
第１の駆動カム４４及び第２の駆動カム４５には、それぞれ係合溝が形成されており、これらの係合溝に台座部２１の２つの側面に形成された係合カム突起（図示せず）がそれぞれ係合される。第１の駆動カム４４及び第２の駆動カム４５は、略長尺状に形成されており、図示しないモータ及び歯車機構により長手方向に沿って進退される。これにより、台座部２１はターンテーブル２３に装着された光ディスク１の記録面に近接離隔するように揺動される。【００４３】
リンクアーム４２３と第１の駆動カム４４とには、光ディスク１が大径ディスク１Ａである場合にターンテーブル２３へ送る光ディスク１の送り量を小さくし、光ディスク１が小径ディスク１Ｂである場合にターンテーブル２３へ送る光ディスク１の送り量を大きくするディスク送り用カム部５１が設けられている。【００４４】
このディスク送り用カム部５１は、リンクアーム４２３に設けられた突起部５２と、この突起部５２と係合され第１の駆動カム４４に形成されたカム溝５３とを備えている。【００４５】
カム溝５３は、大径ディスク１Ａを送るための第１カム溝５３Ａと、小径ディスク１Ｂを送るための第２カム溝５３Ｂと、これらの第１カム溝５３Ａ及び第２カム溝５３Ｂとの一端部で合流される共通カム溝５３Ｃとを備えて構成されている。第１カム溝５３Ａと第２カム溝５３Ｂとは、それぞれ第１の駆動カム４４の移動方向に延びて形成されている。【００４６】
第２の駆動カム４５は、第１の駆動カム４４に連結されており、この第１の駆動カム４４の進退移動に連動して左右方向に進退移動する。そして、光ディスク１の中心がターンテーブル２３の上に位置することを図示しないセンサが検出すると、第１の駆動カム４４が背面１０Ｄ側に移動して、第２の駆動カム４５が左壁１０Ｂ側に移動する。この第２の駆動カム４５の移動により、台座部２１は光ディスク１の記録面に対して近接し、ターンテーブル２３に対して光ディスク１がクランプされる。この状態で、ターンテーブル２３が回転し、光ディスク１に情報が記録及び／又は再生される。【００４７】
〔ディスク装置の動作〕
次に上記ディスク装置１００の動作について、図１ないし図６に基づいて説明する。図３は、大径ディスク１Ａのディスク挿入初期時、および大径ディスクの排出完了時におけるディスク装置の装置本体の内部を示す平面図である。図４は、大径ディスクの搬送途中におけるディスク装置の装置本体の内部を示す平面図である。図５は、大径ディスクを挿入した場合のディスク挿入完了時におけるディスク装置の装置本体の内部を示す平面図である。図６は、大径ディスクのターンテーブルへのクランプを完了した状態における装置本体の内部を示す平面図である。【００４８】
（大径ディスクの挿入）
図１に示すような初期状態のディスク装置１００にディスク径が１２ｃｍである大径ディスク１Ａを挿入する際のディスク装置の動作を説明する。初期状態のディスク装置１００のスロット１１から大径ディスク１Ａを挿入すると、図３に示すように、この大径ディスク１Ａの周縁部がロードアーム４２１の当接部４２１Ａを右壁１０Ｃ側に押して回動させる。これにより、リンクアーム４２３が反時計周りに回動し、スライドストッパ４２４が右壁１０Ｃ側にスライド移動する。このスライドストッパ４２４の移動により、規制ストッパ４２４Ｂがブリッジプレート４１３のアーム規制溝４１３Ａから外れ、８ｃｍアーム４１４の回動範囲の制御が解除される。【００４９】
この状態でさらに大径ディスク１Ａを奥に押し込むと、図４に示すように、大径ディスク１Ａの側縁がディスクガイド４１２の摺接面４１２Ｂに当接して、ディスクガイド４１２を左壁１０Ｂ側に回動させる。この時、ガイドレバー４１１も背面１０Ｄ側に押し込まれ、ガイドピン４１１Ｂが案内ガイド溝４１５の傾斜溝４１５Ｃおよび直線溝４１５Ｂから円弧溝４１５Ａに移動する。そして、ガイドピン４１１Ｂがこの円弧溝４１５Ａに沿って左壁１０Ｂ側に移動することで、ガイドレバー４１１は、ディスク挿排方向と略平行な状態を維持したまま左壁１０Ｂ側に移動し、案内部４１１Ａにて大径ディスク１Ａの周縁部を案内する。また、この時、案内部４１１Ａの回動規制ピン４１１Ｃがプッシュアーム４１６のピン係止溝４１６Ａに係合され、プッシュアーム４１６も左壁１０Ｂ側に回動する。【００５０】
この後、大径ディスク１Ａの半分以上が装置本体１０内部に挿入されると、ロードアーム４２１が内方側、すなわち時計回り方向に付勢されているため、大径ディスク１Ａの周縁に沿って移動する。そして、ロードアーム４２１はこの付勢力により大径ディスク１Ａを正面１０Ａから背面１０Ｄ側に押し込む。さらに、大径ディスク１Ａの半分以上がガイドレバー４１１およびディスクガイド４１２の接続部を通過すると、板ばね４１１Ｄが内方側に付勢されているため、正面１０Ａ側が内方側に突出するように、ガイドレバー４１１が傾斜し、大径ディスク１Ａを奥部に案内する。【００５１】
そして、図５に示すように、大径ディスク１Ａの中心部が、ターンテーブル２３上に移動されると、第１の駆動カム４４および第２の駆動カム４５の移動により台座部２１が天面側に移動し、図６のように大径ディスク１Ａがターンテーブル２３にクランプされる。具体的には、大径ディスク１Ａの挿入により、図示しない挿入検出スイッチが押され、第１の駆動カム４４が正面１０Ａ側に移動する。この時、突起部５２が第１の駆動カム４４の第１カム溝５３Ａに挿通され、大径ディスク１Ａとの間にクリアランスが設けられた状態でロードアーム４２１の位置が固定される。また、第１の駆動カム４４の移動に連動して第２の駆動カム４５も左壁１０Ｂ側に移動する。そして、これらの第１の駆動カム４４および第２の駆動カム４５に連動して台座部２１が天面側に移動し、大径ディスク１Ａがターンテーブル２３にクランプされる。【００５２】
また、第２の駆動カム４５が左壁１０Ｂ側に移動することで、スライドストッパ４２４も左壁１０Ｂ側に移動する。これにより、図２Ｃに示すように、プッシュストッパ４２４Ｄがプッシュアーム４１６の押え片４１６Ｂを左壁１０Ｂ側に押し込み、移動を規制する。これにより、ピン係止溝４１６Ａに回動規制ピン４１１Ｃが係止されたガイドレバー４１１は、左壁１０Ｂ側に押さえつけられ、大径ディスク１Ａとの間に所定寸法のクリアランスが設けられる。【００５３】
さらに、スライドストッパ４２４の移動によりアシストアーム４３１のイジェクト規制ピン４３１Ａが大径ディスク用イジェクト規制溝４２４Ｅ１に係合され、イジェクトアーム４３２の当接部４３２Ｃも大径ディスク１Ａとの間に所定寸法のクリアランスが設けられた状態で移動が規制される。【００５４】
（大径ディスクの排出）
次に、大径ディスク１Ａを排出する動作を説明する。操作者により例えばイジェクトボタンが押されるなどすると、先ず、第１の駆動カム４４が背面１０Ｄ側に移動し、第１の駆動カム４４に連動して第２の駆動カム４５も右壁１０Ｃ側に移動する。これにより、台座部２１が底部側に移動し、大径ディスク１Ａのクランプ状態がはずれる。また、第２の駆動カム４５が右壁１０Ｃ側に移動することにより、スライドストッパ４２４も右壁１０Ｃ側に移動し、プッシュストッパ４２４Ｄがプッシュアーム４１６から離れると、プッシュアーム４１６は、プッシュアーム付勢ばね４１６Ｃの付勢力により内方側（右壁１０Ｃ側）に回動する。これにより、ガイドレバー４１１の案内部４１１Ａが大径ディスク１Ａの周縁に当接し、光ディスク１を保持する。また、スライドストッパ４２４の右壁１０Ｃ側への移動により、イジェクトアーム４３２およびロードアーム４２１も同様に移動規制が解除され、大径ディスク１Ａの周縁を保持する。そして、イジェクトアーム４３２の付勢力により大径ディスク１Ａが正面１０Ａ側に押出される。【００５５】
そして、大径ディスク１Ａの左端縁がガイドレバー４１１およびディスクガイド４１２の接続部よりも正面１０Ａ側に排出されると、ディスクガイド４１２の押出部４１２Ｃが大径ディスク１Ａの周縁を正面１０Ａ側に押出す。すなわち、ガイドピン４１１Ｂが８ｃｍアーム４１４により正面１０Ａ側に押されて直線溝４１５Ｂを通過すると、ガイドレバー４１１も正面１０Ａ側に押出される。この時、ガイドレバー４１１およびディスクガイド４１２の接続部はディスクガイド４１２の回動円弧に沿って内方側に飛び出し、ガイドレバー４１１が傾斜した状態となる。これにより、ガイドレバー４１１の正面１０Ａ側端部は、大径ディスク１Ａの周縁部を押出すことが可能となる。さらに、ガイドピン４１１Ｂが傾斜溝４１５Ｃを通過すると、ガイドレバー４１１はより内方側に飛び出すように移動する。これにより、大径ディスク１Ａの排出がより促される。【００５６】
また、大径ディスク１Ａの右端部がロードアーム４２１の当接部４２１Ａよりも正面１０Ａ側に排出されると、第１の駆動カム４４がさらに背面１０Ｄ側に移動することで、突起部５２が共通カム溝５３Ｃに係合され、ロードアーム４２１が内方側に回動する。このロードアーム４２１の回動により大径ディスク１Ａの周縁が正面１０Ａ側に押出され、大径ディスク１Ａが排出される。【００５７】
〔ディスク装置の作用効果〕
上述したように、上記一実施形態のディスク装置１００では、大径ディスク１Ａがターンテーブル２３にクランプされた時に、大径ディスク１Ａの挿排を案内するガイドレバー４１１を左壁１０Ｂ側に移動させて、大径ディスク１Ａの周縁およびガイドレバー４１１の間に所定にクリアランスを形成するプッシュアーム４１６を備えている。このため、大径ディスク１Ａがターンテーブル２３に載置された際に、ガイドレバー４１１が大径ディスク１Ａの回転を阻害することがない。したがって、大径ディスク１Ａを良好にクランプでき、回転阻害により読み込みエラーなどを回避できる。【００５８】
また、プッシュアーム４１６は、プッシュアーム付勢ばね４１６Ｃにより内方側、すなわち大径ディスク１Ａが配置される側に回動するように付勢されている。このため、大径ディスク１Ａがターンテーブル２３にクランプされていない状態で、かつ回動規制ピン４１１Ｃがピン係止溝４１６Ａに係合している状態では、ガイドレバー４１１は、常にプッシュアーム４１６により内方側に付勢されている。したがって、ガイドレバー４１１により確実に大径ディスク１Ａを保持できるとともに、案内部４１１Ａにより良好に大径ディスク１Ａの案内もできる。【００５９】
また、プッシュアーム４１６は一端部がブリッジプレート４１３に回動可能に設けられ、他端がプッシュアーム付勢ばね４１６Ｃにより内方側に付勢されている。このため、プッシュアーム４１６の移動範囲を小さくでき、簡単な構成でガイドレバー４１１の移動を規制することができる。【００６０】
さらに、プッシュアーム４１６は、ガイドレバー４１１に設けられる回動規制ピン４１１Ｃが係合するピン係止溝４１６Ａを備え、ガイドレバー４１１が左壁１０Ｂ側に移動した際に、回動規制ピン４１１Ｃがこのピン係止溝４１６Ａに係合されてガイドレバー４１１の移動が規制される。このため、プッシュアーム４１６は、ガイドレバー４１１の回動規制ピン４１１Ｃを係合させるだけの簡単な構成でガイドレバー４１１の移動を規制することができる。【００６１】
また、本実施形態のようにガイドレバー４１１が円弧溝４１５Ａに沿って光ディスク１の挿排方向に略平行に移動するタイプのディスク装置１００において、上記のような一端が回動可能に取り付けられるとともに、他端部から回動中心に向かってピン係止溝４１６Ａが形成されるプッシュアーム４１６が用いられている。このため、プッシュアーム４１６は、ガイドレバー４１１の回動規制ピン４１１Ｃをピン係止溝４１６Ａに係合して回動することで、最小限の移動でガイドレバー４１１の移動を規制することができる。したがって、プッシュアーム４１６のサイズを小さくでき、構成も簡単になる。よって、ディスク装置１００の小型化や薄型化により貢献することができる。【００６２】
そして、回動規制ピン４１１Ｃは、ガイドレバー４１１の正面１０Ａ側に設けられている。このため、ガイドレバー４１１およびディスクガイド４１２の接続部の外方側、すなわち左壁１０Ｂ側への回動を防止できる。【００６３】
また、回動規制ピン４１１Ｃは、ガイドレバー４１１が小径ディスク１Ｂを案内している際に、台座部２１に干渉しない位置に設けられている。すなわち、台座部２１が上方側に移動して小径ディスク１Ｂがターンテーブル２３にクランプされた場合でも、回動規制ピン４１１Ｃが台座部２１に接触しない。このため、台座部２１と回動規制ピン４１１Ｃとの接触によるクランプミスや小径ディスク１Ｂの情報処理のエラーなどが発生しない。【００６４】
〔実施形態の変形〕
なお、本発明は、上述した一実施形態に限定されるものではなく、本発明の目的を達成できる範囲で以下に示される変形をも含むものである。【００６５】
すなわち、上記実施形態では、プッシュアーム４１６のピン係止溝４１６Ａに係合する回動規制ピン４１１Ｃは、ガイドレバー４１１の正面１０Ａ側で、かつ台座部２１と干渉しない位置に底面部側に突出して設けられている例を示したが、これに限らない。たとえば、回動規制ピン４１１Ｃがガイドレバー４１１の天面側に突出形成されていれば、台座部２１に接触することがないためさらに正面１０Ａ側に形成することもできる。この場合、回動規制ピン４１１Ｃに対応してプッシュアーム４１６が天面に設けられている構成としてもよい。【００６６】
また、ガイドレバー４１１の正面１０Ａ側に回動規制ピン４１１Ｃを設けるとしたが、背面１０Ｄ側に設けられる構成としてもよい。この場合、ガイドレバー４１１およびディスクガイド４１２の接続部が外方側に回動しないように、回動規制部材を設けたり、別途前記接続部が外方側に突出して回動するのを防止する付勢部材を設けたりすることができる。【００６７】
さらに、プッシュアーム４１６に設けられるピン係止溝４１６Ａにガイドレバー４１１の回動規制ピン４１１Ｃが係合される例を示したが、例えばプッシュアーム４１６に係止ピンを設けガイドレバー４１１にこのピンに係合する溝部を形成する構成としてもよい。このような構成では、ピンと台座部との干渉などの問題がないので、プッシュアーム４１６をさらに正面１０Ａ側に取り付けることもできる。よって、より確実にガイドレバー４１１およびディスクガイド４１２の接続部の外方への回動を防止できる。【００６８】
また、プッシュアーム４１６は一端部がブリッジプレート４１３に回動自在に軸支され、他端部にプッシュアーム付勢ばね４１６Ｃが設けられる構成を示したが、これに限らない。例えば、プッシュアーム４１６をガイドレバー４１１の移動方向に対して交差する方向に移動する部材であればよく、例えば、ガイドレバー４１１の左右移動方向に対して同方向に平行移動するスライド部材であってもよい。このような部材であっても、ガイドレバー４１１の回動規制ピン４１１Ｃを係合した状態で、左壁１０Ｂ側に移動することで、ガイドレバー４１１を左壁１０Ｂ側に移動させることができる。【００６９】
また、移動規制部材としてスライドストッパ４２４を例示したが、これに限らない。例えば、台座部２１に接続され、台座部２１の上下移動に応じてプッシュアーム４１６を左壁１０Ｂ側に移動させる台座部連動部材が設けられていてもよい。【００７０】
その他、本発明の実施の際の具体的な構造は、本発明の目的を達成できる範囲で他の構造などに適宜変更できる。【００７１】
〔実施形態の効果〕
上記一実施形態のディスク装置１００では、大径ディスク１Ａがターンテーブル２３にクランプされた時に、大径ディスク１Ａの挿排を案内するガイドレバー４１１を左壁１０Ｂ側に移動させて、大径ディスク１Ａの周縁およびガイドレバー４１１の間に所定にクリアランスを形成するプッシュアーム４１６を備えている。このため、大径ディスク１Ａがターンテーブル２３に載置された際に、ガイドレバー４１１が大径ディスク１Ａの回転を阻害することがない。したがって、大径ディスク１Ａを良好にクランプでき、回転阻害により読み込みエラーなどを回避できる。
【産業上の利用可能性】
【００７２】
本発明は、ディスク状記録媒体を挿入排出する搬送装置、および搬送装置が設けられた記録媒体駆動装置に利用できる。
【図１】
2007043375.tif 000003
【図２Ａ】
2007043375.tif 000004
【図２Ｂ】
2007043375.tif 000005
【図２Ｃ】
2007043375.tif 000006
【図３】
2007043375.tif 000007
【図４】
2007043375.tif 000008
【図５】
2007043375.tif 000009
【図６】
2007043375.tif 000010
【手続補正書】
【提出日】平成19年8月6日(2007.8.6)
【手続補正１】
【補正対象書類名】特許請求の範囲
【補正対象項目名】全文
【補正方法】変更
【補正の内容】
【特許請求の範囲】
【請求項１】
装置本体内部に配置されるディスク保持部がディスク状の記録媒体を保持可能な位置に、前記記録媒体を案内するとともに、前記記録媒体の接離方向に移動可能なガイド部材と、
前記記録媒体が前記ディスク保持部に保持された状態で、前記ガイド部材を前記記録媒体から離れる方向に移動させるガイド移動制御部材と、
を具備し、
前記ガイド移動制御部材は、前記ガイド部材に係合可能なガイド係合部材と、前記ガイド係合部材に前記ガイド部材が係合されるとともに前記記録媒体が前記ディスク保持部に保持された状態において、前記ガイド係合部材の移動を規制する移動規制部材を備え、
前記ガイド部材は前記記録媒体の搬送方向に略平行な長手状に形成されるとともに、前記ガイド係合部材に係合可能な係合部を有するガイドレバーと、一端部が前記装置本体に回動可能に設けられるとともに、他端部が前記ガイドレバーの一端部に回動可能に接続されるディスクガイドと、を備え、
前記ガイド係合部材は、前記ガイドレバーの移動により前記係合部が係合可能な係合溝を備えたことを特徴とした搬送装置。
【請求項２】
請求項１に記載の搬送装置であって、
前記ガイド移動制御部材は、前記記録媒体が前記ディスク保持部に保持されない状態において、前記ガイド部材を前記記録媒体に近接する方向に付勢する
ことを特徴とした搬送装置。
【請求項３】
（削除）
【請求項４】
請求項１または請求項２に記載の搬送装置であって、
前記ガイド係合部材は、一端部が前記装置本体に回動可能に設けられるとともに、他端部に前記記録媒体に近接する方向に付勢する付勢部材が設けられた
ことを特徴とした搬送装置。
【請求項５】
（削除）
【請求項６】
請求項１、請求項２、または請求項４に記載の搬送装置であって、
前記係合部は、前記ガイドレバーおよび前記ディスクガイドの接続部側に設けられた
ことを特徴とした搬送装置。
【請求項７】
請求項１、請求項２、または請求項４に記載の搬送装置であって、
前記係合部は、前記記録媒体が前記ディスク保持部に保持された状態において、前記ディスク保持部が設けられる台座部に干渉しない位置に設けられる
ことを特徴とした搬送装置。
【請求項８】
請求項１、請求項２、請求項４、請求項６、または請求項７に記載の搬送装置と、
前記搬送装置により搬送された前記記録媒体を保持する前記ディスク保持部と、
前記ディスク保持部が設けられるとともに、上下方向に移動可能な台座部と、
前記ディスク保持部に保持された前記記録媒体への情報の書き込みおよび前記記録媒体からの情報の読み込みの少なくとも一方を実施する情報処理部と、
これらの搬送装置、ディスク保持部、台座部、および情報処理部を内部に収納し、前記記録媒体を挿排する挿排口が設けられる前記装置本体と、
を具備したことを特徴とした記録媒体駆動装置。
【手続補正２】
【補正対象書類名】明細書
【補正対象項目名】０００２
【補正方法】変更
【補正の内容】
【０００２】
［０００６］
本発明は、ディスクの回転を阻害せず良好に保持可能な搬送装置、および記録媒体駆動装置を提供することを１つの目的とする。
課題を解決するための手段
［０００７］
本発明の搬送装置は、装置本体内部に配置されるディスク保持部がディスク状の記録媒体を保持可能な位置に、前記記録媒体を案内するとともに、前記記録媒体の接離方向に移動可能なガイド部材と、前記記録媒体が前記ディスク保持部に保持された状態で、前記ガイド部材を前記記録媒体から離れる方向に移動させるガイド移動制御部材と、を具備し、前記ガイド移動制御部材は、前記ガイド部材に係合可能なガイド係合部材と、前記ガイド係合部材に前記ガイド部材が係合されるとともに前記記録媒体が前記ディスク保持部に保持された状態において、前記ガイド係合部材の移動を規制する移動規制部材を備え、前記ガイド部材は前記記録媒体の搬送方向に略平行な長手状に形成されるとともに、前記ガイド係合部材に係合可能な係合部を有するガイドレバーと、一端部が前記装置本体に回動可能に設けられるとともに、他端部が前記ガイドレバーの一端部に回動可能に接続されるディスクガイドと、を備え、前記ガイド係合部材は、前記ガイドレバーの移動により前記係合部が係合可能な係合溝を備えたことを特徴とする。
［０００８］
本発明の記録媒体駆動装置は、前述した本発明の搬送装置と、前記搬送装置により搬送された前記記録媒体を保持する前記ディスク保持部と、前記ディスク保持部が設けられるとともに、上下方向に移動可能な台座部と、前記ディスク保持部に保持された前記記録媒体への情報の書き込みおよび前記記録媒体からの情報の読み込みの少なくとも一方を実施する情報処理部と、これらの搬送装置、ディスク保持部、台座部、および情報処理部を内部に収納し、前記記録媒体を挿排する挿排口が設けられる前記装置本体と、を具備したことを特徴とする。
図面の簡単な説明
［０００９］
［図１］本発明の一実施形態に係るディスク装置の装置本体内部を示す平面図である。
［図２Ａ］ディスク装置内部に設けられるプッシュアームの拡大平面図であり、ガイドレバーおよびプッシュアームが係合していない状態のプッシュアームの拡大平面図である。
［図２Ｂ］ディスク装置内部に設けられるプッシュアームの拡大平面図であり、ガイドレバーおよびプッシュアームが係合した状態のプッシュアームの拡大平面図である。
［図２Ｃ］ディスク装置内部に設けられるプッシュアームの拡大平面図であり、図２Ｂの状態においてプッシュアームが左壁側に移動した状態におけるプッシュアームの拡大平面図である。
［図３］大径ディスクのディスク挿入初期時、およびディスク排出完了時におけるディスク装置の装置本体の内部を示す平面図である。
【国際調査報告】
2007043375.tif 000011
2007043375.tif 000012